(57)【要約】【課題】簡単な構成および処理で誤接続を防止可能な波長多重システムを提供する。【解決手段】波長多重システムは、光信号を出力する複数の出力装置と、複数の出力装置のうち予め定められた出力特性条件を満たす出力装置から出力された光信号を波長多重して出力する波長多重化装置を含む。出力装置は、光信号の出力用第１端子と、自出力装置の出力特性を示す認識情報を記憶する記憶手段と、記憶手段内の認識情報の出力用の第２端子を含む。波長多重化装置は、出力特性条件を示す特定認識情報を格納する格納手段と、複数の出力装置の各第２端子から複数の認識情報を取得し、複数の認識情報の中から、特定認識情報が示す出力特性条件を満たす認識情報を特定し、特定された認識情報を第２端子から出力している出力装置の第１端子から出力された光信号を選択する選択手段と、選択手段にて選択された光信号を波長多重して出力する波長多重手段を含む。【選択図】図１
2010193272.tif 000002
【特許請求の範囲】
【請求項１】
光信号を出力する複数の出力装置と、前記複数の出力装置のうち予め定められた出力特性条件を満たす出力装置から出力された光信号を波長多重して出力する波長多重化装置と、を含む波長多重システムであって、
前記出力装置は、
第１端子と、
前記第１端子を介して前記光信号を出力する出力手段と、
自出力装置の出力特性を示す認識情報を記憶する記憶手段と、
前記記憶手段内の認識情報を出力するための第２端子と、を含み、
前記波長多重化装置は、
前記出力特性条件を示す特定認識情報を格納する格納手段と、
前記複数の出力装置の各第２端子から複数の前記認識情報を取得し、当該複数の認識情報の中から、前記特定認識情報が示す出力特性条件を満たす認識情報を特定し、特定された認識情報を前記第２端子から出力している前記出力装置の前記第１端子から出力された光信号を選択する選択手段と、
前記選択手段にて選択された光信号を波長多重して出力する波長多重手段と、を含む、波長多重システム。
【請求項２】
請求項１に記載の波長多重システムにおいて、
前記認識情報および前記特定認識情報は、前記出力特性として、波長、波長精度、スペクトル幅、レベルおよび光Ｓ／Ｎ比のうち少なくとも１つを規定しているものである、波長多重システム。
【請求項３】
請求項１または２に記載の波長多重システムにおいて、
前記波長多重化装置が前記複数の出力装置の各第１端子のいずれかから前記光信号の受信を開始する受信開始状態を検出する検出手段をさらに含み、
前記選択手段は、前記検出手段が前記受信開始状態を検出すると、前記受信が開始された光信号を前記第１端子から出力した前記出力装置の第２端子から、前記認識情報を取得する、波長多重システム。
【請求項４】
光信号を第１端子から出力する複数の出力装置と、前記複数の出力装置のうち予め定められた出力特性条件を満たす出力装置が有する前記第１端子から出力された光信号を波長多重して出力する波長多重化装置と、を含む波長多重システムでの波長多重方法であって、
前記出力装置が、自出力装置の出力特性を示す認識情報を記憶手段に記憶する記憶ステップと、
前記波長多重化装置が、前記出力特性条件を示す特定認識情報を格納手段に格納する格納ステップと、
前記波長多重化装置が、前記複数の出力装置の各第２端子から複数の前記認識情報を取得し、当該複数の認識情報の中から、前記特定認識情報が示す出力特性条件を満たす認識情報を特定し、特定された認識情報を前記第２端子から出力している前記出力装置の前記第１端子から出力された光信号を選択する選択ステップと、
前記波長多重化装置が、前記選択された光信号を波長多重して出力する波長多重ステップと、を含む、波長多重方法。
【請求項５】
請求項４に記載の波長多重方法において、
前記認識情報および前記特定認識情報は、前記出力特性として、波長、波長精度、スペクトル幅、レベルおよび光Ｓ／Ｎ比のうち少なくとも１つを規定しているものである、波長多重方法。
【請求項６】
請求項４または５に記載の波長多重方法において、
前記波長多重化装置が、前記複数の出力装置の各第１端子のいずれかから前記光信号の受信を開始する受信開始状態を検出する検出ステップをさらに含み、
前記選択ステップでは、前記受信開始状態が検出されると、前記受信が開始された光信号を前記第１端子から出力した前記出力装置の第２端子から、前記認識情報を取得する、波長多重方法。
【発明の詳細な説明】
【技術分野】
【０００１】
本発明は、波長多重システムおよび波長多重方法に関し、特には、光伝送システムにおける波長多重システムおよび波長多重方法に関する。
【背景技術】
【０００２】
波長多重装置は、納入時には、波長多重装置の最大波長多重数の数十分の一以下の波長多重数で運用されることが多い。その後、波長多重化される信号を出力する端局装置が、波長多重装置に、新たに接続されることによって、波長多重装置の波長多重数が増加する。
【０００３】
波長多重装置に接続される端局装置が、波長多重装置にて要求される条件を満たさない場合、波長多重装置は、その端局装置が接続されたチャンネルに関して、所定の伝送特性を満足できず、さらに、他のチャンネルに関しても、所定の伝送特性を満足できなくなる可能性を有するという問題がある。
【０００４】
特許文献１には、上記問題を解決可能な誤接続監視システムが記載されている。この監視システムは、光信号を出力する複数の端局装置と、複数の端局装置からのそれぞれの光信号を波長多重方式で多重化する波長多重化装置と、を有する。
【０００５】
各端局装置は、主信号と接続管理情報とを交互に光信号として１つの端子から出力する。波長多重化装置は、端局装置からの光信号から接続管理情報を抽出し、その接続管理情報に基づいて、端局装置の誤接続を判断する。
【先行技術文献】
【特許文献】
【０００６】
【特許文献１】特許第３４７８２４７号公報
【発明の概要】
【発明が解決しようとする課題】
【０００７】
特許文献１に記載の誤接続監視システムでは、各端局装置は、主信号と接続管理情報とを交互に光信号として１つの端子から出力する構成を必要とするため、構成および処理が複雑になるという課題があった。また、波長多重化装置も、端局装置からの光信号から接続管理情報を抽出する構成を必要とするため、構成および処理が複雑になるという課題も有している。
【０００８】
本発明の目的は、上述した課題を解決可能な波長多重システムおよび波長多重方法を提供することである。
【課題を解決するための手段】
【０００９】
本発明の波長多重システムは、光信号を出力する複数の出力装置と、前記複数の出力装置のうち予め定められた出力特性条件を満たす出力装置から出力された光信号を波長多重して出力する波長多重化装置と、を含む波長多重システムであって、前記出力装置は、第１端子と、前記第１端子を介して前記光信号を出力する出力手段と、自出力装置の出力特性を示す認識情報を記憶する記憶手段と、前記記憶手段内の認識情報を出力するための第２端子と、を含み、前記波長多重化装置は、前記出力特性条件を示す特定認識情報を格納する格納手段と、前記複数の出力装置の各第２端子から複数の前記認識情報を取得し、当該複数の認識情報の中から、前記特定認識情報が示す出力特性条件を満たす認識情報を特定し、特定された認識情報を前記第２端子から出力している前記出力装置の前記第１端子から出力された光信号を選択する選択手段と、前記選択手段にて選択された光信号を波長多重して出力する波長多重手段と、を含む。
【００１０】
本発明の波長多重方法は、光信号を第１端子から出力する複数の出力装置と、前記複数の出力装置のうち予め定められた出力特性条件を満たす出力装置が有する前記第１端子から出力された光信号を波長多重して出力する波長多重化装置と、を含む波長多重システムでの波長多重方法であって、前記出力装置が、自出力装置の出力特性を示す認識情報を記憶手段に記憶する記憶ステップと、前記波長多重化装置が、前記出力特性条件を示す特定認識情報を格納手段に格納する格納ステップと、前記波長多重化装置が、前記複数の出力装置の各第２端子から複数の前記認識情報を取得し、当該複数の認識情報の中から、前記特定認識情報が示す出力特性条件を満たす認識情報を特定し、特定された認識情報を前記第２端子から出力している前記出力装置の前記第１端子から出力された光信号を選択する選択ステップと、前記波長多重化装置が、前記選択された光信号を波長多重して出力する波長多重ステップと、を含む。
【発明の効果】
【００１１】
本発明によれば、簡単な構成および処理で、誤接続を防止可能な波長多重システムおよび波長多重方法を提供することが可能になる。
【図面の簡単な説明】
【００１２】
【図１】本発明の第１実施形態の波長多重システムを示したブロック図である。
【図２】主信号制御回路４１ｎａの一例を示したブロック図である。
【図３】主信号制御回路４１ｎａの他の例を示したブロック図である。
【図４】本発明の第２実施形態の波長多重システムを示したブロック図である。
【発明を実施するための形態】
【００１３】
以下、本発明の実施形態を説明する。
【００１４】
（第１実施形態）
図１は、本発明の第１実施形態の波長多重システムを示したブロック図である。
【００１５】
図１において、ＷＤＭ（Wavelength Division Multiplexing：波長分割多重）システムである波長多重システムは、複数の端局装置１１〜１ｎと、波長多重化装置２と、を含む。
【００１６】
各端局装置１１〜１ｎは、一般的に出力装置と呼ぶことができる。
【００１７】
各端局装置１ｎ（以下、「ｎ＝１、・・・、ｎ」として説明する）は、端局装置部１ｎａと、端子１ｎｂと、メモリ部１ｎｃと、監視制御部１ｎｄと、端子１ｎｅと、端子１ｎｆと、を含む。
【００１８】
端局装置部１ｎａは、一般的に出力手段と呼ぶことができる。ＳＤＨ（Synchronous Digital Hierarchy）ハイアラキーのインタフェースを持ち、そのインタフェースから入力された光信号に、ｏｖｅｒｈｅａｄ（オーバーヘッド）ビットを追加し、かつ、その光信号を、特定波長の光信号に変換して端子１ｎｂから出力する。なお、端子１ｎｂは、第１端子と呼ぶことができる。
【００１９】
また、端局装置部１ｎａは、端子１ｎｆが受け付けた光信号を、所定波長の光信号に変換して出力する。
【００２０】
メモリ部１ｎｃは、一般的に記憶手段と呼ぶことができる。メモリ部１ｎｃは、不揮発性の記憶素子で構成され、端局装置１ｎの出力特性を示す認識番号を記憶する。認識番号は、一般的に認識情報と呼ぶことができる。端局装置１ｎの出力特性は、例えば、端局装置１ｎの出力の、波長、波長精度、スペクトラム幅、レベル、および、光ＳＮ比等を用いて規定され、これらの特性が、認識番号によって示される。
【００２１】
認識番号は、端局装置１ｎが、ある所定の条件（波長多重装置４と接続するための接続条件）を満足した端局装置であることを示してもよい。接続条件は、例えば、波長多重装置４に接続するために必要な予め規定された出力特性（波長、波長精度、スペクトラム幅、レベル、光ＳＮ比等）を示す。
【００２２】
監視制御部１ｎｄは、端局装置部１ｎａを常時監視し、その監視によって収集した情報の各種加工処理と監視装置３への出力、監視装置３からの要求に応じた端局装置部１ｎａの制御、および、監視装置３からの要求に応じたメモリ部１ｎｃへのアクセスと認識番号の読み出しと、その認識番号を端子１ｎｅを介して監視装置３へ出力することを行う。なお、端子１ｎｅは、第２端子と呼ぶことができる。
【００２３】
波長多重化装置２は、複数の端局装置１１〜１ｎのうち予め定められた出力特性条件を満たす端局装置（以下「特定出力装置」と称する）から出力された光信号を波長多重して出力する。
【００２４】
波長多重化装置２は、監視装置３と、波長多重装置４と、を含む。監視装置３は、格納部３１と、制御部３２と、を含む。波長多重装置４は、主信号制御部４１１〜４１ｎと、監視制御部４２と、波長多重部４３と、波長分離部４４と、を含む。
【００２５】
格納部３１は、一般的に格納手段と呼ぶことができる。格納部３１は、出力特性条件を示す特定認識情報を格納する。本実施形態では、特定認識情報は、波長多重装置４に接続してもよい端局装置が有する出力特性の一覧、つまり、波長多重装置４に接続してもよい端局装置が有する認識番号の一覧を表す。
【００２６】
制御部３２は、例えば、端局装置１１〜１ｎのそれぞれとの通信が確立したときに、通信が確立された端局装置（以下では「端局装置１ｋ」と称する）内の監視制御部１ｋｄに端子１ｋｅを通じてアクセスして、メモリ部１ｋｃに予め記憶されている認識番号を読み出して取得する。
【００２７】
制御部３２は、その取得した認識番号と、格納部３１内の認識番号の一覧と、を比較し、その比較結果（その取得した認識番号が、格納部３１内の認識番号の一覧に記載されているか否かを表す情報）を、波長多重装置４内の監視制御部４２へ送信する。
【００２８】
また、制御部３２は、波長多重装置４内の各主信号制御部４１１〜４１ｎを使用と未使用のいずれかの状態にするかを示す使用状態情報を、波長多重装置４内の監視制御部４２へ送信する。
【００２９】
波長多重装置４は、端局装置１１〜１ｎとインタフェースし、各端局装置１１〜１ｎから入力された各波長の異なるｎ個の光信号を波長多重して出力し、逆方向では、波長多重された信号を、波長ごとに分離して、各端局装置１１〜１ｎに出力することが可能である。
【００３０】
主信号制御部４１ｎ（ｎ＝１、・・・、ｎ）は、主信号制御回路４１ｎａを含む。主信号制御回路４１ｎａは、端局装置１ｎから入力された光信号である主信号を、監視制御部４２からの制御信号に従って、波長多重部４３に出力するかどうかを制御する。
【００３１】
なお、主信号制御部に付してあるサフィックス「ｎ」は、端局装置に付してあるサフィックス「ｎ」と対応する。このため、例えば、主信号制御部４１は、端局装置１１から光信号を受信し、主信号制御部４ｎは、端局装置１ｎから光信号を受信する。
【００３２】
監視制御部４２は、監視装置３から送信されてくる使用状態情報と、認識番号の比較結果と、に基づいて、主信号制御回路４１１ａ〜４１ｎａへの制御信号を生成し、その制御信号を、主信号制御回路４１１ａ〜４１ｎａへ出力する。
【００３３】
例えば、監視制御部４２は、認識番号の比較結果が、端局装置１ｋから取得した認識番号が、格納部３１内の認識番号の一覧に記載されていることを表す場合、端局装置１ｋを特定出力装置として特定する。
【００３４】
続いて、監視制御部４２は、主信号制御回路４１ｋａに、特定出力装置として特定された端局装置１ｋからの光信号を出力する旨の制御信号を出力して、端局装置１ｋ内の端子１ｋｂから出力された光信号が、主信号制御回路４１ｋａを通過して波長多重部４３に出力されるように制御する。
【００３５】
また、監視制御部４２は、監視装置３からの要求に応じた波長多重部４３と波長分離部４４の制御を行う。
【００３６】
また、監視制御部４２は、波長多重部４３および波長分離部４４を常時監視し、その監視によって収集した情報の各種加工処理と監視装置３への出力を行う。
【００３７】
なお、制御部３２と、主信号制御部４１１〜４１ｎと、監視制御部４２とで、選択部５を構成する。選択部５は、一般的に選択手段と呼ぶことができる。
【００３８】
選択部５は、複数の端局装置１１〜１ｎの各端子１１ｂ〜１ｎｂから、複数の認識番号を取得し、その複数の認識番号の中から、特定認識情報にて示された出力特性条件を満たす認識番号を特定する。
【００３９】
選択部５は、その特定された認識番号を記憶している端局装置を、特定出力装置として特定し、その特定出力装置の端子１ｎｂから出力された光信号を選択する。
【００４０】
波長多重部４３は、一般的に波長多重手段と呼ぶことができる。波長多重部４３は、選択部５にて選択された光信号を波長多重して出力する。
【００４１】
波長分離部４４は、入力された波長多重信号を、各波長単位にｎ個の波長に分離し、その波長分離した信号を、それぞれ、端局装置１１〜１ｎに出力する。
【００４２】
なお、図１では、監視装置３と波長多重装置４とは、別々のブロックで表されているが、これらは統合されてもよい。
【００４３】
図２は、主信号制御回路４１ｎａの一例を示したブロック図である。
【００４４】
図２において、主信号制御回路４１ｎａは、光スイッチ１０１と、監視制御部インタフェース回路１０２と、を含む。
【００４５】
光スイッチ１０１は、入力された光信号を、監視制御部インタフェース回路１０２からの制御信号に従って、ａポートまたはｂポートの何れかに出力する。なお、ポートａは、波長多重部４３に接続されている。
【００４６】
監視制御部インタフェース回路１０２は、監視制御部４２とのインタフェースを有し、監視制御部４２から入力される制御信号を解読して、光スイッチ１０１駆動用の制御信号に変換して出力する。
【００４７】
図３は、主信号制御回路４１ｎａの他の例を示したブロック図である。
【００４８】
図３において、主信号制御回路４１ｎａは、光可変減衰器２０１と、監視制御部インタフェース回路２０２と、を含む。
【００４９】
光可変減衰器２０１は、監視制御部インタフェース回路２０２からの制御信号に従って、入力された光信号の減衰量を変化させる。
【００５０】
監視制御部インタフェース回路２０２は、監視制御部４２とのインタフェースを有し、監視制御部４２から入力される制御信号を解読して、光可変減衰器２０１駆動用の制御信号に変換して出力する。
【００５１】
次に、図１を用いて、波長多重装置４に端局装置１１が増設される場合を例に動作を説明する。
【００５２】
監視装置３は、ＷＤＭシステムの全体を監視モニタしている。
【００５３】
監視装置３内の制御部３２は、監視制御部４２に対して、使用しない主信号制御部を「未使用」とする使用状態情報を送信する。
【００５４】
監視制御部４２は、使用状態情報を受信すると、使用状態情報にて「未使用」が示された主信号制御部の主信号制御回路が、光信号である主信号の出力をインヒビット（禁止）するように、その主信号制御回路を制御する。
【００５５】
続いて、監視装置３内の制御部３２は、監視制御部４２に対して、増設される端局装置１１が接続される主信号制御部４１１の使用／未使用を決定するために、主信号制御部４１１を「使用」とする使用状態情報を送信する。
【００５６】
増設される端局装置１１の端子１１ｅが、監視装置３内の制御部３２に接続されると、制御部３２は、接続された端局装置１１の監視制御部１１ｄに対して、端子１１ｅを通じて、メモリ部１１ｃに書き込まれている認識番号の読み出し要求を送信する。
【００５７】
なお、この読み出し要求は、端局装置１１が端子１１ｂを介して光信号を波長多重装置４に送信するために使用する主信号パスではなく、端局装置１１の端子１１ｅと監視装置３間の監視制御用のパスを通して、端局装置１１に送信される。
【００５８】
監視制御部１１ｄは、読み出し要求を受信すると、メモリ部１１ｃにアクセスして所定の番地に書き込まれている情報（認識番号）を読み出して、その情報を、認識番号の読み出し要求に対する応答として、監視装置３（具体的には、制御部３２）に出力する。
【００５９】
なお、この応答は、端局装置１１が端子１１ｂを介して光信号を波長多重装置４に送信するために使用する主信号パスではなく、端局装置１１の端子１１ｅと監視装置３間の監視制御用のパスを通して、監視装置３に送信される。
【００６０】
監視装置３内の制御部３２は、端局装置１１から受信した情報を、予め格納部３１に書き込まれている波長多重装置４に接続してもよい端局装置の認識番号一覧と比較する。
【００６１】
制御部３２は、その比較の結果と、端局装置１１が接続予定の主信号制御部４１１を示す情報とを、監視制御部４２に送信する。
【００６２】
なお、主信号制御部４１１を示す情報は、例えば、監視装置３の使用者によって、キーボード等の入力部を介して、監視装置３に予め入力されている。
【００６３】
監視制御部４２は、端局装置１１が接続予定の主信号制御部４１１の使用状態情報が「使用」を示すことを確認後、監視装置３から受信した比較結果が示す情報に応じて、下記の様に、主信号制御部４１１の主信号制御回路４１１ａを制御する。
【００６４】
比較結果が、端局装置１１から取得した認識番号が、格納部３１内の認識番号の一覧に記載されていることを表す場合、監視制御部４２は、制御信号を用いて、主信号制御部４１１の主信号制御回路４１１ａに対して、入力された主信号が出力されるように制御する。
【００６５】
一方、比較結果が、端局装置１１から取得した認識番号が、格納部３１内の認識番号の一覧に記載されないことを表す場合、監視制御部４２は、制御信号を用いて、主信号制御部４１１の主信号制御回路４１１ａに対して、入力された主信号を出力しないように制御する。
【００６６】
なお、端局装置１１以外の端局装置が波長多重装置４に増設される場合も、その端局装置について、端局装置１１が増設される場合と同様の処理が行われる。
【００６７】
以上説明したように、本実施形態においては、波長多重装置４と接続するために予め規定された所定の出力特性（波長、波長精度、スペクトラム幅、レベル、光ＳＮ比等）を満足した端局装置であることを示す認識番号を、端局装置に予め持たせ、その認識番号の確認後、端局装置から入力された主信号を、波長多重する。
【００６８】
このため、認識番号が格納部３１内の認識番号と一致しない端局装置、または、格納部３１内の認識番号を持たない端局装置は、予め規定された所定の出力特性（波長、波長精度、スペクトラム幅、レベル、光ＳＮ比等）を満足しない端局装置と判断され、その端局装置から入力された主信号が波長多重部４３に出力されることを遮断できる。
【００６９】
また、本実施形態によれば、端局装置内の認識番号は、端局装置１１が端子１１ｂを介して光信号を波長多重装置４に送信するために使用する主信号パスではなく、端局装置１１の端子１１ｅと監視装置３（具体的には、制御部３２）間の監視制御用のパスを通して、監視装置３に送信される。
【００７０】
このため、各端局装置１１〜１ｎは、認識番号を、光信号である主信号と独立して送信でき、また、波長多重化装置２は、認識番号を、光信号である主信号と独立して受信できる。
【００７１】
よって、特許文献１に記載されたような、主信号と接続管理情報とを交互に光信号として出力する構成を必要とせず、端局装置からの光信号から認識番号を抽出する構成も必要としない。したがって、誤接続を防止することを、簡単な構成および処理で実現することが可能になる。
【００７２】
なお、上記効果は、端局装置部１ｎａと端子１ｎｂとメモリ部１ｎｃとからなる複数の端局装置と、格納部３１と選択部５と波長多重部４３とからなる波長多重化装置２と、からなる波長多重システムでも奏することができる。
【００７３】
（第２実施形態）
図４は、本発明の第２実施形態の波長多重システムを示したブロック図である。図４において、図１に示したものと同一構成のものには同一符号を付してある。
【００７４】
図４に示した波長多重システムは、図１に示した波長多重システムと比べて、各主信号制御部内に、主信号監視回路が設けられ、監視制御部４２の代わりに監視制御部４２Ａが用いられ、制御部３２の代わりに制御部３２Ａが用いられる点が異なる。
【００７５】
以下、図１に示した波長多重システムと異なる点を中心に、図４に示した波長多重システムについて説明する。
【００７６】
主信号監視回路４１１ｂ〜４１ｎｂは、一般的に検出手段と呼ぶことができる。
【００７７】
主信号監視回路４１１ｂ〜４１ｎｂは、端局装置１１〜１ｎから入力された主信号の有無を監視し、主信号がなくなったときに、警報信号を、監視制御部４２Ａに出力する。
【００７８】
また、波長多重化装置２が端局装置１１〜１ｎの各端子１１ｂ〜１ｎｂのいずれかから光信号の受信を開始する受信開始状態になると、主信号監視回路４１１ｂ〜４１ｎｂのうち、その光信号を受信した主信号監視回路は、警報信号を停止（以下「復旧」とも称する）して、受信開始状態を検出する。
【００７９】
監視制御部４２Ａは、監視制御部４２が有する機能を有している。
【００８０】
また、監視制御部４２Ａは、主信号監視回路４１１ｂ〜４１ｎｂからの警報信号が復旧した場合、監視装置３Ａ（具体的には、制御部３２Ａ）に対して、警報信号が復旧した主信号制御部に接続されている端局装置の認識番号の確認要求の送出を行う。
【００８１】
監視装置３Ａ内の制御部３２Ａは、制御部３２が有する機能を有している。
【００８２】
また、制御部３２Ａは、監視制御部４２Ａからの所定の端局装置の認識番号の確認要求に応じて、その端局装置の監視制御部にアクセスして、その端局装置内のメモリ部に予め記憶されている認識番号を読み出し、その読み出した認識番号と格納部３１内に記憶している認識番号一覧との比較を行い、その比較結果を監視制御部４２Ａへ送信する。
【００８３】
次に、図４を用いて、第１実施形態と同様に、波長多重装置４に端局装置１１が増設される場合を例に動作を説明する。
【００８４】
監視装置３Ａは、ＷＤＭシステムの全体を監視モニタしている。
【００８５】
監視装置３Ａ内の制御部３２Ａは、監視制御部４２Ａに対して、使用しない主信号制御部を「未使用」とする使用状態情報を送信する。
【００８６】
監視制御部４２Ａは、使用状態情報を受信すると、使用状態情報にて「未使用」が示された主信号制御部の主信号制御回路が、光信号である主信号の出力をインヒビット（禁止）するように、その主信号制御回路を制御する。
【００８７】
続いて、監視装置３内の制御部３２Ａは、監視制御部４２Ａに対して、増設される端局装置１１が接続される主信号監視部４１１の使用／未使用を決定するために、主信号制御部４１１を「使用」とする使用状態情報を送信する。
【００８８】
続いて、監視制御部４２Ａは、使用状態情報が「使用」に設定された主信号制御部４１１の主信号監視回路４１１ｂからの警報信号のモニタを開始する。
【００８９】
監視制御部４２Ａは、主信号監視回路４１１ｂからの警報信号が復旧した場合、つまり、増設された端局装置１１が、波長多重装置４に光信号を出力した場合、制御部３２Ａに対して、警報信号が復旧した主信号制御部４１１に接続されている端局装置１１の認識番号の確認要求の送出を行う。
【００９０】
制御部３２Ａは、端局装置１１の認識番号の確認要求を受信すると、端局装置１１の監視制御部１１ｄに対して、端子１１ｅを通じて、メモリ部１１ｃに予め記憶されている認識番号の読み出し要求を送信する。
【００９１】
なお、この読み出し要求は、端局装置１１が端子１１ｂを介して光信号を波長多重装置４に送信するために使用する主信号パスではなく、端局装置１１の端子１１ｅと監視装置３Ａ間の監視制御用のパスを通して、端局装置１１に送信される。
【００９２】
監視制御部１１ｄは、読み出し要求を受信すると、メモリ部１１ｃにアクセスして所定の番地に書き込まれている情報（認識情報）を読み出して、その情報を、認識番号の読み出し要求に対する応答として、監視装置３Ａ（具体的には、制御部３２Ａ）に出力する。
【００９３】
なお、応答は、端局装置１１が端子１１ｂを介して光信号を波長多重装置４に送信するために使用する主信号パスではなく、端局装置１１の端子１１ｅと監視装置３Ａ間の監視制御用のパスを通して、監視装置３Ａに送信される。
【００９４】
監視装置３Ａ内の制御部３２Ａは、端局装置１１から受信した情報を、予め格納部３１に書き込まれている波長多重装置４に接続してもよい端局装置の認識番号一覧と比較する。
【００９５】
制御部３２Ａは、その比較した結果を、監視制御部４２Ａに送信する。
【００９６】
監視制御部４２Ａは、端局装置１１が接続予定の主信号制御部４１１の使用状態情報が「使用」を示すことを確認し、かつ、主信号監視回路４１１ｂからの警報信号が復旧していることを確認後、制御部３２Ａから受信した端局装置１１の認識番号の比較結果に基づいて、下記の様に、主信号制御部４１１の主信号制御回路４１１ａを制御する。
【００９７】
比較結果が、端局装置１１から取得した認識番号が、格納部３１内の認識番号の一覧に記載されていることを表す場合、監視制御部４２Ａは、制御信号を用いて、主信号制御部４１１の主信号制御回路４１１ａに対して、入力された主信号が出力されるように制御する。
【００９８】
一方、比較結果が、端局装置１１から取得した認識番号が、格納部３１内の認識番号の一覧に記載されないことを表す場合、監視制御部４２Ａは、制御信号を用いて、主信号制御部４１１の主信号制御回路４１１ａに対して、入力された主信号を出力しないように制御する。
【００９９】
比較結果が、端局装置１１から取得した認識番号が、格納部３１内の認識番号の一覧に記載されていることを表し、主信号制御回路４１１ａから波長多重部４３に主信号が出力された後は、監視制御部４２は、常時、主信号監視回路４１１ｂから出力される警報信号の有無を監視し、警報信号の発生を確認すると、主信号制御回路４１１ａに対して、主信号の出力をインヒビットするように制御する。
【０１００】
なお、端局装置１１以外の端局装置が波長多重装置４に増設される場合も、その端局装置について、端局装置１１が増設される場合と同様の処理が行われる。
【０１０１】
本実施形態によれば、第１実施形態と同様の効果を奏し、また、受信開始状態になると、自動的に、認識番号を取得することが可能になる。
【０１０２】
上記各実施形態によれば、ある所定の条件を満足しない端局装置が、波長多重装置に接続された場合は、その端局装置からの光信号が波長多重部４３に入力されることをインビット（禁止）でき、ある所定の条件を満足した端局装置からの光信号のみを波長多重することが可能になる。
【０１０３】
以上説明した各実施形態において、図示した構成は単なる一例であって、本発明はその構成に限定されるものではない。
【０１０４】
例えば、認識番号および特定認識情報は、出力特性として、波長、波長精度、スペクトラム幅、レベルおよび光ＳＮ比を規定するものに限らず、波長、波長精度、スペクトラム幅、レベルおよび光ＳＮ比のうち少なくとも１つを規定しているものでもよい。
【符号の説明】
【０１０５】
１１〜１ｎ      端局装置
１１ａ〜１ｎａ  端局装置部
１１ｂ〜１ｎｂ  端子
１１ｃ〜１ｎｃ  メモリ部
１１ｄ〜１ｎｄ  監視制御部
１１ｅ〜１ｎｅ  端子
２              波長多重化装置
３、３Ａ        監視装置
３１            格納部
３２、３２Ａ    制御部
４              波長多重装置
４１１〜４１ｎ  主信号制御部
４１１ａ〜４１ｎａ  主信号制御回路
４１１ｂ〜４１ｎｂ  主信号監視回路
４２、４２Ａ    監視制御部
４３            波長多重部
４４            波長分離部
１０１          光スイッチ
１０２          監視制御部インタフェース回路
２０１          光可変減衰器
２０２          監視制御部インタフェース回路
【図１】
2010193272.tif 000003
【図２】
2010193272.tif 000004
【図３】
2010193272.tif 000005
【図４】
2010193272.tif 000006